(57)【要約】【課題】白色光の色温度が変化でき、かつ一般照明用としての光束が十分に得られるとともに安価である照明器具を提供する。【解決手段】照明器具１は、白色光を放射する蛍光ランプ２，３と、蛍光ランプ２，３と異なる発光色の光を発光する少なくとも１種の発光ダイオード４と、蛍光ランプ２，３および発光ダイオード４を付勢するとともに、少なくとも発光ダイオード４を調光可能に構成されている点灯装置６，７と、蛍光ランプ２，３および発光ダイオード４から放射されるそれぞれの光が混光するように、蛍光ランプ２，３および発光ダイオード４を配設している照明器具本体８とを具備している。【選択図】図１
2004103444.tif 000002
【特許請求の範囲】
【請求項１】
白色光を放射する蛍光ランプと；
蛍光ランプと異なる発光色の光を発光する少なくとも１種の発光ダイオードと；
蛍光ランプおよび発光ダイオードを付勢するとともに、少なくとも発光ダイオードを調光可能に構成されている点灯装置と；
蛍光ランプおよび発光ダイオードから放射されるそれぞれの光が混光するように、蛍光ランプおよび発光ダイオードを配設している照明器具本体と；
を具備していることを特徴とする照明器具。
【請求項２】
点灯装置は、蛍光ランプおよび発光ダイオードをそれぞれ調光可能に構成され、かつ蛍光ランプおよび発光ダイオードのそれぞれの調光を相補的に変化させるように構成されていることを特徴とする請求項１記載の照明器具。
【請求項３】
発光ダイオードは、５４０〜５５４ｎｍにピーク波長を有する光を発光する第１の発光ダイオードと、６０６〜６１６ｎｍにピーク波長を有する光を発光する第２の発光ダイオードとを有してなることを特徴とする請求項１または２記載の照明器具。
【請求項４】
発光ダイオードは、５１８．５〜５６７．５ｎｍにピーク波長を有する光を発光する第３の発光ダイオードと、５９７．５〜６２７ｎｍにピーク波長を有する光を発光する第４の発光ダイオードとを有してなることを特徴とする請求項１または２記載の照明器具。
【発明の詳細な説明】
【０００１】
【発明の属する技術分野】本発明は、蛍光ランプおよび発光ダイオードを具備している照明器具に関する。
【０００２】
【従来の技術】近年、消費電力が少なく、耐久性に優れ、しかも各種の色を発光させることができる発光ダイオード（ＬＥＤ）が多くの分野で使用され、このＬＥＤを多数取付けた照明装置が提供されている。例えば特開２００１−３５１４０２号公報（特許文献１）に蛍光灯型ＬＥＤ照明装置が開示されており、その構成は図１０に示すとおりである。
【０００３】
図１０に示す蛍光灯型ＬＥＤ照明装置５０は、透明な筒状パイプ５１と、このパイプ５１内の内側に設けた支持板５２と、この支持板５２の両端に設けられ、蛍光灯器具５３のソケット部５４に嵌合する端子５５と、この端子５５に接続し、支持板５２の上面に設けられたＡＣ／ＤＣ変換器５６と、ＡＣ／ＤＣ変換器５６に接続され、支持板５２の底面に設けられた複数のＬＥＤ５７にそれぞれ供給する電圧を調整する電圧制御部５８を有して構成されている。そして、ＬＥＤ５７は、白色に発光するように形成され、蛍光ランプと同様に、例えば室内を照明することができるものである。
【０００４】
また、特開２０００−１８２４０４号公報（特許文献２）に蛍光ランプおよびＬＥＤを組み合わせた光源が開示されており、その構成は図１１に示すとおりである。この光源５９は、蛍光ランプ６０の光色と異なるＬＥＤ６１が組み合わされたものであり、光透過性ガラス容器６２の内部に塗布した蛍光体層６３の一部を除去して、蛍光体の開口部６４が設けられ、この開口部６４に複数のＬＥＤ６１を、その発光が開口部６４を通して、ガラス容器６２の内部に入射するように配置したものである。また、ＬＥＤ６１の光がガラス容器６２の外部に漏れることのないようにＬＥＤ６１からガラス容器６２にかけて樹脂等で形成されたカバー６５が設けられているとともに、ＬＥＤ６１は、その指向性が一方向に集中せず拡散性のあるものが使用されている。
【０００５】
そして、特許文献２によると、蛍光ランプ６０およびＬＥＤ６１の配光特性が一致した、空間的に光の色むらが発生しない照明が実現されると記載されている。そして、例えば、相関色温度６８００Ｋの３波長域発光形蛍光ランプ６０、ＬＥＤ６１としてそれぞれ独立に調光される緑色ＬＥＤおよび赤色ＬＥＤの３種を組合せた光源５９を配設する照明器具により、６７００Ｋから３４００Ｋまでの範囲で光色を変化できると記載されている。
【０００６】
【特許文献１】
特開２００１−３５１４０２号公報（第２−３頁、第６図）
【０００７】
【特許文献２】
特開２０００−１８２４０４号公報（第３−４頁、第１図）
【０００８】
【発明が解決しようとする課題】特許文献１は、白色光の色温度を変化させることができず、また、演色性が低いという欠点を有する。また、個々のＬＥＤ５７の光出力が低く、一般照明用として十分な光束が得られないおそれがある。現在、ＬＥＤの高出力化が検討されているが、一般照明用としての十分な光束が得られる領域に達していないものである。また、半導体発光素子にＧａＮ系が用いられる青、緑、白色などのＬＥＤは、半導体製造工程の複雑さ等により高価であるので、一般照明用へ多数使用しにくいという欠点を有する。
【０００９】
特許文献２は、一部の蛍光体層６３を除去して開口部６４を設けた蛍光ランプ６０を製造するとともに、開口部６４側にＬＥＤ６１を配置するので、光源５９の製造工程が複雑であり、光源５９が複雑かつ高価になるという欠点を有する。
【００１０】
本発明は、白色光の色温度が変化でき、かつ一般照明用としての光束が十分に得られるとともに安価である照明器具を提供することを目的とする。
【００１１】
【課題を解決するための手段】請求項１に記載の照明器具の発明は、白色光を放射する蛍光ランプと；蛍光ランプと異なる発光色の光を発光する少なくとも１種の発光ダイオードと；蛍光ランプおよび発光ダイオードを付勢するとともに、少なくとも発光ダイオードを調光可能に構成されている点灯装置と；蛍光ランプおよび発光ダイオードから放射されるそれぞれの光が混光するように、蛍光ランプおよび発光ダイオードを配設している照明器具本体と；を具備していることを特徴とする。
【００１２】
本発明および以下の各発明において、特に言及しない限り、各構成は以下による。
【００１３】
蛍光ランプは、白色光を放射するものであればよく、熱陰極形、冷陰極形のいずれでもよく、直管形、環形、屈曲形あるいは扁平形などの形状や大きさ、電力等は問わない。ここで、白色光とは、略白色の光を包含する。すなわち、蛍光ランプは、白色、温白色、昼光色、昼白色などの種類がある。
【００１４】
蛍光ランプおよび発光ダイオードは、発光ダイオードから発光された光と蛍光ランプから放射された白色光が照明器具の被照射面において混光（混色）するような配置関係にあればよい。しかし、蛍光ランプおよび発光ダイオードの放射面に拡散板を配置または蛍光ランプおよび発光ダイオードを拡散性のグローブなどで包囲するなど、積極的に拡散させ、混光（混色）させることが好ましい。
【００１５】
少なくとも発光ダイオードを調光可能に構成されている点灯装置とは、発光ダイオードのみ調光可能であってもよく、蛍光ランプおよび発光ダイオードの両方とも調光可能であってもよいことを意味する。発光ダイオードのみが調光されると、点灯装置が簡易に構成可能であり、照明器具を安価に提供可能である。
【００１６】
点灯装置は、蛍光ランプおよび発光ダイオードをそれぞれ付勢する個別の点灯回路（点灯装置）を一体的に構成したものであってもよく、蛍光ランプおよび発光ダイオードをそれぞれ付勢する個別の点灯装置であってもよい。
【００１７】
発光ダイオードの調光は、発光ダイオードに通電される電流の絶対値（振幅）を変化させても、点滅のデューティー比を変化させてもよい。
【００１８】
発光ダイオードを発光（点灯）させる点灯装置は、ＡＣ−ＤＣ変換装置や電圧調整装置などにより構成される。しかし、発光ダイオードの数量が少ないときは、蛍光ランプまたは予熱用コンデンサと直列的に発光ダイオードを接続して、蛍光ランプ用の点灯装置に共用してもよい。当該点灯装置は、コア＆コイル形安定器または高周波点灯用の電子安定器のいずれであってもよい。
【００１９】
本発明によれば、蛍光ランプにより一般照明用の十分な光束が得られるとともに、発光ダイオードの調光により白色光の色温度が変化される。また、蛍光ランプおよび発光ダイオードから放射されるそれぞれの光量が変化されると、広範囲に白色光の色温度が変化される。
【００２０】
請求項２に記載の照明器具の発明は、請求項１記載の照明器具において、点灯装置は、蛍光ランプおよび発光ダイオードをそれぞれ調光可能に構成され、かつ蛍光ランプおよび発光ダイオードのそれぞれの調光を相補的に変化させるように構成されていることを特徴とする。
【００２１】
本発明によれば、蛍光ランプおよび発光ダイオードのそれぞれの調光が相補的に変化されるので、照明器具の被照射面における光量変化を抑制しながら、白色光の色温度が変化される。
【００２２】
請求項３に記載の照明器具の発明は、請求項１または２記載の照明器具において、発光ダイオードは、５４０〜５５４ｎｍにピーク波長を有する光を発光する第１の発光ダイオードと、６０６〜６１６ｎｍにピーク波長を有する光を発光する第２の発光ダイオードとを有してなることを特徴とする。
【００２３】
発光ダイオードから放射される光が、５４０〜５５４ｎｍおよび６０６〜６１６ｎｍにそれぞれピーク波長を有していると、混光の平均演色評価数Ｒａは８０以上であり、また、色偏差が小さいことが確認された。
【００２４】
本発明によれば、照明器具の被照射面において、高い演色性を有するとともに色偏差の小さい混光が得られる。
【００２５】
請求項４に記載の照明器具の発明は、請求項１または２記載の照明器具において、発光ダイオードは、５１８．５〜５６７．５ｎｍにピーク波長を有する光を発光する第３の発光ダイオードと、５９７．５〜６２７ｎｍにピーク波長を有する光を発光する第４の発光ダイオードとを有してなることを特徴とする。
【００２６】
発光ダイオードから放射される光が、５１８．５〜５６７．５ｎｍおよび５９７．５〜６２７ｎｍにそれぞれピーク波長を有していると、混光の平均演色評価数Ｒａは６０以上であり、また、色偏差が小さいことが確認された。
【００２７】
本発明によれば、照明器具の被照射面において、実用上、許容可能な演色性を有するとともに色偏差の小さい混光が得られる。
【００２８】
【発明の実施の形態】以下、本発明の一実施の形態について、図面を参照して説明する。まず、本発明の第１の実施形態について説明する。
【００２９】
図１〜図６は、本発明の第１の実施形態を示し、図１は照明器具の概略断面図、図２は発光ダイオードの概略縦断面図、図３は蛍光ランプおよび発光ダイオードの配置図、図４は蛍光ランプの光束１０００ルーメンに対して混光した発光ダイオードの光束に対する混光の色温度、平均演色評価数および色偏差の変化図、図５は混光の色温度に対する蛍光ランプおよび発光ダイオードのそれぞれの光束の割合、平均演色評価数および特殊演色評価数の変化を示し、（ａ）は赤色光６１０ｎｍの場合の変化図、（ｂ）は赤色光６１５ｎｍの場合の変化図、図６は発光ダイオードの波長における混光の平均演色評価数および特殊演色評価数の変化を示し、（ａ）は緑波長の場合の変化図、（ｂ）は赤波長の場合の変化図である。
【００３０】
図１に示す照明器具１は、蛍光ランプ２，３、発光ダイオード（ＬＥＤ）４、基板５、点灯装置６，７および照明器具本体８を有して構成されている。
【００３１】
蛍光ランプ２，３は、環形の周知の構造であり、同心円状にして照明器具本体８のランプソケット９，１０に取付けられている。蛍光ランプ２は、管外径１６．５ｍｍ、環外径３７３ｍｍ、ランプ電力３４Ｗであり、蛍光ランプ３は、管外径１６．５ｍｍ、環外径２９９ｍｍ、ランプ電力２７Ｗである。そして、蛍光ランプ２，３は、白色光を放射するものであり、それぞれ３波長形で色温度６７００Ｋの昼光色に形成されている。
【００３２】
発光ダイオード４は、蛍光ランプ２，３が放射する白色光と異なる発光色の光を発光するように、周知の構成を成して形成されている。例えば、図２に示すように、リード１１ａと一体的に形成された搭載部材１２のすり鉢状の内側に半導体発光素子１３を搭載している。そして、半導体発光素子１３は、ワイヤ１４によりリード１１ｂに電気的に接続されている。これにより、半導体発光素子１３は、一対のリード１１ａ，１１ｂに電気的に接続されている。そして、半導体発光素子１３、搭載部材１２およびリード１１ａ，１１ｂの一部を例えばエポキシ樹脂１５がほぼ砲弾状に被覆している。
【００３３】
また、発光ダイオード４は、所望の発光色の光を得るために、半導体発光素子１３上または搭載部材１２のすり鉢状の内側に半導体発光素子１３が発光した光により発光する蛍光体（図示しない。）を配設している場合もある。発光ダイオード４は、リード１１ａ，１１ｂ間に直流電圧例えばＤＣ３．４Ｖが印加されると、半導体発光素子１３が発光する。
【００３４】
そして、発光ダイオード４は、基板５に複数個配列されて実装されている。基板５は、ガラスエポキシからなり、円盤状に形成され、支持脚１６，１６を介して照明器具本体８に固定されている。また、基板５は、図３に示すように、同心円状に配設された蛍光ランプ２，３の中心部に配設され、発光ダイオード４から発光された光が蛍光ランプ２，３から放射された白色光と混光するようにしている。すなわち、照明器具本体８は、蛍光ランプ６，７および発光ダイオード４から放射されるそれぞれの光が混光するように、蛍光ランプ６，７および発光ダイオード４を配設している。
【００３５】
図１において、照明器具本体８内には、点灯装置６，７が収容されている。点灯装置６は、蛍光ランプ２，３に接続されており、蛍光ランプ２，３を高周波で付勢するとともに調光させる。点灯装置７は、基板５の共通入力端子（図示しない。）に接続されており、交流電圧例えばＡＣ１００Ｖを直流電圧に変換し、この直流電圧で発光ダイオード４を付勢するとともに調光させる。すなわち、点灯装置６，７は、リモコン（図示しない。）などからの調光信号に応じて、蛍光ランプ２，３および発光ダイオード４をそれぞれ個別に調光点灯させるように構成されている。
【００３６】
そして、照明器具本体８は、天井１７にアダプタ１８を介して固定され、前面はグローブ１９によって被われている。
【００３７】
次に、本発明の実施形態の作用について述べる。
【００３８】
点灯装置６，７が給電されると、蛍光ランプ２，３および発光ダイオード４は点灯する。そして、蛍光ランプ２，３から放射された白色光および発光ダイオード４から放射された光は、グローブ１９で拡散されて混光され、グローブ１９を透過して下方に出射される。
【００３９】
（第１の実施例）
【００４０】
照明器具１において、発光ダイオード４がピーク波長５８３ｎｍの光（オレンジ色）を発光するように構成され、蛍光ランプ２，３から放射される白色光に発光ダイオード４の光を混光させるように構成した。図４は、蛍光ランプ２，３の光束１０００ルーメン（ｌｍ）に対して混光した発光ダイオード４の光束に対する混光の色温度、平均演色評価数Ｒａおよび色偏差ｄｕｖの変化を示したものである。
【００４１】
図４に示すように、発光ダイオード４の光束が増加するにしたがい混光の色温度は低下し、０〜５００ルーメン（ｌｍ）では色温度が約８．６Ｋ／ｌｍの割合で低減され、３０００ルーメン（ｌｍ）以上で電球色相当の２８００Ｋ以下に変化されることが確認された。また、混光の色偏差ｄｕｖは、０〜１００ルーメン（ｌｍ）を除き、±０．００４内にあり、発光ダイオード４の調光のみでほぼ黒体軌跡（ＢＢＬ）上の光色が得られることが確認された。したがって、一般照明用としての光束が十分に得られる電球色相当の照明器具１が提供される。
【００４２】
また、照明器具１において、発光ダイオード４がピーク波長４７０ｎｍの光（青色）を発光するように構成されていると、混光に対して発光ダイオード４の光束１ルーメン（ｌｍ）当たり約７４Ｋの色温度の変化が可能であり、発光ダイオード４の光束７３ルーメン（ｌｍ）で約２００００Ｋの色温度が得られることが確認された。なお、ピーク波長４７０ｎｍの光（青色）は、半導体発光素子１３として例えばＩｎＧａＡｌＰ系が用いられる。
【００４３】
（第２の実施例）
【００４４】
照明器具１において、基板５に、ピーク波長５４５ｎｍの光（緑色）を発光する発光ダイオード４ａおよびピーク波長６１０ｎｍの光（赤色）を発光する発光ダイオード４ｂの２種の発光ダイオード４を有するように構成され、蛍光ランプ２，３から放射される白色光に発光ダイオード４ａ，４ｂの光を混光させるように構成した。また、同じく、ピーク波長５４５ｎｍの光（緑色）を発光する発光ダイオード４ａおよびピーク波長６１５ｎｍの光（赤色）を発光する発光ダイオード４ｃの２種の発光ダイオード４を有するように構成され、蛍光ランプ２，３から放射される白色光に発光ダイオード４ａ，４ｃの光を混光させるように構成した。
【００４５】
図５（ａ）は、混光の色温度に対する蛍光ランプ２，３および発光ダイオード４ａ，４ｂのそれぞれの光束の割合、平均演色評価数Ｒａおよび特殊演色評価数Ｒ９の変化を示したものであり、図５（ｂ）は、混光の色温度に対する蛍光ランプ２，３および発光ダイオード４ａ，４ｃのそれぞれの光束の割合、平均演色評価数Ｒａおよび特殊演色評価数Ｒ９の変化を示したものである。いずれの場合においても、混光の色温度２７００〜６８００Ｋにおいて、８０以上の平均演色評価数Ｒａが得られることが確認された。また、特殊演色評価数Ｒ９は、蛍光ランプ２，３および発光ダイオード４ａ，４ｃの組合せが蛍光ランプ２，３および発光ダイオード４ａ，４ｂの組合せよりも優れていることが確認された。
【００４６】
また、上記蛍光ランプ２，３および発光ダイオード４の組合せにおいて、緑色の発光色の光を発光する発光ダイオード（第１の発光ダイオード）は、５４０〜５５４ｎｍにピーク波長を有する光を発光し、赤色の発光色の光を発光する発光ダイオード（第２の発光ダイオード）は、６０６〜６１６ｎｍにピーク波長を有する光を発光すれば、平均演色評価数Ｒａが８０以上であることが確認された。したがって、演色性が高く、一般照明用としての光束が十分に得られる照明器具１が提供可能である。
【００４７】
さらに、図６（ａ），図６（ｂ）に示すように、蛍光ランプ２，３および発光ダイオード４の混光の平均演色評価数Ｒａを６０以上に設定すると、緑色の発光色の光を発光する発光ダイオード（第３の発光ダイオード）は、５１８．５〜５６７．５ｎｍにピーク波長を有する光を発光し、赤色の発光色の光を発光する発光ダイオード（第４の発光ダイオード）は、５９７．５〜６２７ｎｍにピーク波長を有する光を発光すれば達成されることが確認された。そして、高い特殊演色評価数Ｒ９を得るには、第３の発光ダイオードは短波長側、第４の発光ダイオードは長波長側にそれぞれピーク波長を有する光を発光させる半導体発光素子１３または蛍光体を選択することが好ましいものである。また、発光効率（ｌｍ／Ｗ）を高く設定したい場合は、第３の発光ダイオードは長波長側、第４の発光ダイオードは短波長側にそれぞれピーク波長を有する光を発光させる半導体発光素子１３または蛍光体を選択することが好ましいことが確認された（図示しない。）。上記結果より、実用的な演色性が得られるとともに、一般照明用としての光束が十分に得られる照明器具１が提供可能である。
【００４８】
なお、照明器具１は、被照射面において、蛍光ランプ２，３からの白色光と発光ダイオード４からの光が混光（混色）されれば、グローブ１９等を設けず、蛍光ランプ２，３および発光ダイオード４が露出していてもよい。
【００４９】
次に、本発明の第２の実施形態について説明する。
【００５０】
図７〜図８は、本発明の第２の実施形態を示し、図７は照明器具における蛍光ランプおよび発光ダイオードの配置図、図８は点灯装置のブロック回路図である。なお、図１と同一部分には同一符号を付して説明は省略する。
【００５１】
図７に示す蛍光ランプ３および発光ダイオード４は、図１に示す照明器具１等に配設される。そして、１本の蛍光ランプ３の内方側に位置する基板５に４個の発光ダイオード４が実装されている。そして、蛍光ランプ３および発光ダイオード４は、図８に示すように、共通の点灯装置２０に付勢される。
【００５２】
点灯装置２０は、蛍光ランプ３用の点灯装置である。そして、複数個の発光ダイオード４が２分され、２分された発光ダイオード４が直列接続され、この直列接続された発光ダイオード４を逆並列接続して、点灯装置２０および蛍光ランプ３間に接続している。蛍光ランプ３の点灯に伴い、蛍光ランプ３に双方向に流れる電流によって、逆並列接続された発光ダイオード４が交互に点灯（発光）する。発光ダイオード４の直列回路の両端電圧は、直列接続された発光ダイオード４の個数に約０．６Ｖを乗じた電圧（図８の場合、約１．２Ｖ）であり、蛍光ランプ３のランプ電圧（１１８Ｖ）に比して非常に小さい値であるので、発光ダイオード４を点灯装置２０および蛍光ランプ３間に介挿させても、蛍光ランプ３の出力に大きな影響を及ぼさない。したがって、発光ダイオード４を付勢する個別の点灯装置を設けないので、点灯装置および照明器具が安価に提供される。
【００５３】
次に、本発明の第３の実施形態について説明する。
【００５４】
図９は、本発明の第３の実施形態を示す点灯装置のブロック回路図である。なお、図７〜図８と同一部分には同一符号を付して説明は省略する。
【００５５】
図９に示す点灯装置２１は、図７に示す蛍光ランプ３および発光ダイオード４を個別に調光可能に構成された点灯装置２０および点灯装置２２を具備しているとともに、点灯装置２０および点灯装置２２を相補的に調光制御させる制御回路２３を備えて構成されている。すなわち、リモコン等より調光信号（色温度制御信号）が制御回路２３に入力されると、制御回路２３は、例えば蛍光ランプ３を減光させる制御信号を点灯装置２０に送出し、発光ダイオード４を増光させる制御信号を点灯装置２２に送出する。
【００５６】
点灯装置２１は、蛍光ランプ３および発光ダイオード４の一方の光束を減少させ、他方の光束を増加させるので、照明器具の被照射面における光量変化は抑制される。そして、蛍光ランプ３から放射される白色光に発光ダイオード４からの光が混光されるので、白色光の色温度が変化される。
【００５７】
上記第１〜第３の実施形態で説明したように、白色光を放射する蛍光ランプ２，３および白色光と異なる発光色の光を発光する少なくとも１種の発光ダイオード４を具備することにより、一般照明用としての光束が十分に得られるとともに演色性が良好または色温度が変化される照明器具が提供される。また、発光ダイオード４は基板５に実装され、基板５は蛍光ランプ２，３の白色光と発光ダイオード４の光が混光されるようにして照明器具本体に配設されるので、照明器具は、構造が簡素であり、安価に製造される。
【００５８】
【発明の効果】請求項１の発明によれば、照明器具は、白色光を放射する蛍光ランプと、蛍光ランプと異なる発光色の光を発光する少なくとも１種の発光ダイオードを具備しているので、主として蛍光ランプから一般照明用の十分な光束を得ることができるとともに、発光ダイオードからの光により白色光の色温度を変化させることができる。また、蛍光ランプおよび発光ダイオードから放射されるそれぞれの光量を変化させることにより、広範囲に白色光の色温度を変化させることができる。
【００５９】
請求項２の発明によれば、点灯装置は、蛍光ランプおよび発光ダイオードのそれぞれの調光を相補的に変化させるので、照明器具の被照射面における光量変化を抑制することができ、かつ白色光の色温度を変化させることができる。
【００６０】
請求項３の発明によれば、５４０〜５５４ｎｍにピーク波長を有する光を発光する第１の発光ダイオードと、６０６〜６１６ｎｍにピーク波長を有する光を発光する第２の発光ダイオードとを有するので、照明器具の被照射面において、高い演色性を有するとともに色偏差の小さい白色光との混光を得ることができる。
【００６１】
請求項４の発明によれば、発光ダイオードは、５１８．５〜５６７．５ｎｍにピーク波長を有する光を発光する第３の発光ダイオードと、５９７．５〜６２７ｎｍにピーク波長を有する光を発光する第４の発光ダイオードとを有するので、照明器具の被照射面において、実用上、許容可能な演色性を有するとともに色偏差の小さい白色光との混光を得ることができる。
【図面の簡単な説明】
【図１】本発明の第１の実施形態を示す照明器具の概略断面図。
【図２】同じく、発光ダイオードの概略縦断面図。
【図３】同じく、蛍光ランプおよび発光ダイオードの配置図。
【図４】同じく、蛍光ランプの光束１０００ルーメンに対して混光した発光ダイオードの光束に対する混光の色温度、平均演色評価数および色偏差の変化図。
【図５】同じく、混光の色温度に対する蛍光ランプおよび発光ダイオードのそれぞれの光束の割合、平均演色評価数および特殊演色評価数の変化を示し、（ａ）は赤色光６１０ｎｍの場合の変化図、（ｂ）は赤色光６１５ｎｍの場合の変化図。
【図６】同じく、発光ダイオードの波長における混光の平均演色評価数および特殊演色評価数の変化を示し、（ａ）は赤波長の場合の変化図、（ｂ）は緑波長の場合の変化図。
【図７】本発明の第２の実施形態を示す照明器具における蛍光ランプおよび発光ダイオードの配置図。
【図８】同じく、点灯装置のブロック回路図。
【図９】本発明の第３の実施形態を示す点灯装置のブロック回路図。
【図１０】特許文献１の蛍光灯型ＬＥＤ照明装置を示し、（ａ）は蛍光灯器具に取付けた状態を示す正面図、（ｂ）は下面図。
【図１１】特許文献２の光源を示し、（ａ）は縦断面図、（ｂ）は横断面図。
【符号の説明】
１…照明器具、２，３…蛍光ランプ、４…発光ダイオード、６，７，２０，２１…点灯装置、８…照明器具本体
【図１】
2004103444.tif 000003
【図２】
2004103444.tif 000004
【図３】
2004103444.tif 000005
【図４】
2004103444.tif 000006
【図５】
2004103444.tif 000007
【図６】
2004103444.tif 000008
【図７】
2004103444.tif 000009
【図８】
2004103444.tif 000010
【図９】
2004103444.tif 000011
【図１０】
2004103444.tif 000012
【図１１】
2004103444.tif 000013